Podtech/llm-jp-corpus-v4-ja_patent huggingface dataset:
【手続補正書】
【提出日】平成22年5月25日(2010.5.25)
【手続補正１】
【補正対象書類名】特許請求の範囲
【補正対象項目名】請求項１
【補正方法】変更
【補正の内容】
【請求項１】
遊技球を用いて所定の遊技を行うことが可能であり、各々を識別可能な複数種類の識別情報の可変表示を行い表示結果を導出表示する可変表示装置を備え、該可変表示装置に特定表示結果が導出表示されたときに遊技者にとって有利な特定遊技状態に移行させる遊技機であって、
前記特定遊技状態において開放状態に変化可能な可変入賞球装置と、
前記可変入賞球装置に入賞した遊技球を検出して検出信号を出力する検出手段と、
遊技の進行を制御する遊技制御手段と、
前記遊技制御手段が送信するコマンドにもとづいて、前記可変表示装置を含む演出装置の制御を行う演出制御手段とを備え、
前記遊技制御手段は、
前記特定遊技状態に移行させるか否かを表示結果の導出表示以前に決定する事前決定手段と、
前記事前決定手段の決定にもとづいて、前記可変表示装置における識別情報の可変表示の開始と可変表示時間とを特定可能な可変表示コマンドを送信する可変表示コマンド送信手段と、
前記検出手段からの前記検出信号を入力したか否かを判定する入賞判定手段と、
前記特定遊技状態以外の遊技状態において前記入賞判定手段が前記検出信号を入力したと判定したことにもとづいて、異常報知の実行を指示するための異常報知コマンドを送信する異常報知コマンド送信手段とを含み、
前記演出制御手段は、
前記可変表示コマンド送信手段が送信した可変表示コマンドにもとづいて前記可変表示装置において識別情報の可変表示を開始し、前記可変表示時間が経過したときに前記可変表示装置に表示結果を導出表示する可変表示制御手段と、
前記異常報知コマンド送信手段が送信した異常報知コマンドにもとづいて、演出装置により異常報知を開始した後、前記可変表示制御手段が前記可変表示装置において識別情報の可変表示を実行しているときにも異常報知を継続する異常報知手段とを含む
ことを特徴とする遊技機。
【手続補正２】
【補正対象書類名】明細書
【補正対象項目名】００１１
【補正方法】変更
【補正の内容】
【００１１】
本発明による遊技機は、遊技球を用いて所定の遊技を行うことが可能であり、各々を識別可能な複数種類の識別情報（例えば、特別図柄や飾り図柄）の可変表示を行い表示結果を導出表示する可変表示装置（例えば、特別図柄表示器８や可変表示装置９）を備え、該可変表示装置に特定表示結果（例えば、大当り図柄）が導出表示されたときに遊技者にとって有利な特定遊技状態（例えば、大当り遊技状態）に移行させる遊技機であって、特定遊技状態において開放状態に変化可能な可変入賞球装置（例えば、特別可変入賞球装置２０）と、可変入賞球装置に入賞した遊技球を検出して検出信号を出力する検出手段（例えば、カウントスイッチ２３）と、遊技の進行を制御する遊技制御手段（例えば、遊技制御用マイクロコンピュータ５６０）と、遊技制御手段が送信するコマンド（例えば、演出制御コマンド）にもとづいて、可変表示装置を含む演出装置の制御を行う演出制御手段（例えば、演出制御用マイクロコンピュータ１００）とを備え、遊技制御手段は、特定遊技状態に移行させるか否かを表示結果の導出表示以前に決定する事前決定手段（例えば、遊技制御用マイクロコンピュータ５６０において、ステップＳ６２，Ｓ６３の処理を実行する部分）と、事前決定手段の決定にもとづいて、可変表示装置における識別情報の可変表示の開始と可変表示時間とを特定可能な可変表示コマンド（例えば、変動パターンコマンド）を送信する可変表示コマンド送信手段（例えば、遊技制御用マイクロコンピュータ５６０において、ステップＳ１０３の処理を実行する部分）と、検出手段からの検出信号を入力したか否かを判定する入賞判定手段（例えば、遊技制御用マイクロコンピュータ５６０において、ステップＳ３３１〜Ｓ３３８、Ｓ３５１〜Ｓ３５６，Ｓ３６１の処理を実行する部分。特に、カウントスイッチ入力ビット判定値を用いてステップＳ３５５，Ｓ３６１の処理を実行する部分）と、特定遊技状態以外の遊技状態において入賞判定手段が検出信号を入力したと判定したことにもとづいて、異常報知の実行を指示するための異常報知コマンドを送信する異常報知コマンド送信手段（例えば、遊技制御用マイクロコンピュータ５６０において、ステップＳ５８５，Ｓ５８７〜Ｓ５８９の処理を実行する部分）とを含み、演出制御手段は、可変表示コマンド送信手段が送信した可変表示コマンドにもとづいて可変表示装置において識別情報の可変表示を開始し、可変表示時間が経過したときに可変表示装置に表示結果を導出表示する可変表示制御手段（例えば、演出制御用マイクロコンピュータ１００において、ステップＳ８００〜Ｓ８０３の処理を実行する部分）と、異常報知コマンド送信手段が送信した異常報知コマンドにもとづいて、演出装置により異常報知を開始した後、可変表示制御手段が可変表示装置において識別情報の可変表示を実行しているときにも異常報知を継続する異常報知手段（例えば、演出制御用マイクロコンピュータ１００において、ステップＳ９０６〜Ｓ９０９、Ｓ８４５Ａ，Ｓ８４５Ｃの処理を実行する部分）とを含むことを特徴とする。
【手続補正３】
【補正対象書類名】明細書
【補正対象項目名】００１６
【補正方法】変更
【補正の内容】
【００１６】
請求項１記載の発明では、遊技制御手段が、特定遊技状態以外の遊技状態において入賞判定手段が検出信号を入力したと判定したことにもとづいて、異常報知の実行を指示するための異常報知コマンドを送信する異常報知コマンド送信手段を含み、演出制御手段が、異常報知コマンド送信手段が送信した異常報知コマンドにもとづいて、演出装置により異常報知を開始した後、可変表示制御手段が可変表示装置において識別情報の可変表示を実行しているときにも異常報知を継続する異常報知手段を含むので、異常入賞が生じたことを報知することができるとともに、遊技を継続することが可能であって遊技者が不利益を被らないようにすることができる。
【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
吸入口を介して利用者に吸入させるための薬剤を吐出する薬剤吐出装置であって、
前記吸入口に連結し、前記利用者の吸入により前記薬剤を吸入口へと導く気流路を形成しうる流路部材と、
前記流路部材内に着脱可能に装着しうる、前記気流路の内壁を形成するための内壁面形成部材とを有することを特徴とする薬剤吐出装置。
【請求項２】
前記流路部材内に形成された前記気流路に対して前記薬剤を吐出する薬剤吐出部を有することを特徴とする請求項１に記載の薬剤吐出装置。
【請求項３】
前記薬剤吐出部が前記内壁面形成部材と一体として構成されていることを特徴とする請求項２に記載の薬剤吐出装置。
【請求項４】
前記内壁面形成部材は、可撓性を有することを特徴とする請求項１乃至３のいずれかに記載の薬剤吐出装置。
【請求項５】
前記内壁面形成部材は、前記流路部材内に密着しうるフィルムを有することを特徴とする請求項１又は２に記載の薬剤吐出装置。
【請求項６】
前記フィルムが複数層重ねられた状態で前記流路部材内に密着することを特徴とする請求項５に記載の薬剤吐出装置。
【請求項７】
前記内壁面形成部材は、前記気流路内で折り返すことができるシートを有することを特徴とする請求項１又は２に記載の薬剤吐出装置。
【請求項８】
吸入口を介して利用者に吸入させるための薬剤を吐出する薬剤吐出装置であって、
前記吸入口に連結し、前記利用者の吸入により前記薬剤を吸入口へと導く気流路を形成しうる流路部材と、
前記流路部材内に形成された前記気流路に対して前記薬剤を吐出する薬剤吐出部と、
前記薬剤吐出部から吐出され、前記気流路の内壁に付着した薬剤を除去するための除去手段とを有することを特徴とする薬剤吐出装置。
【請求項９】
前記除去手段は、前記薬剤の吐出後に前記気流路の内壁を清拭するワイピング手段であることを特徴とする請求項８に記載の薬剤吐出装置。
【請求項１０】
前記ワイピング手段は、前記気流路の内壁を清拭するのと共に、前記薬剤吐出部の吐出口面をもワイプすることができることを特徴とする請求項９に記載の薬剤吐出装置。
【請求項１１】
前記薬剤吐出部は、前記薬剤に熱エネルギーを付与する電気熱変換素子または前記薬剤に機械エネルギーを付与する電気機械変換素子を有することを特徴とする請求項２又は８に記載の薬剤吐出装置。
【手続補正書】
【提出日】平成22年7月14日(2010.7.14)
【手続補正１】
【補正対象書類名】明細書
【補正対象項目名】０００３
【補正方法】変更
【補正の内容】
【０００３】
特許文献１は、ＲＡＩＤグループのデータ幅を拡張することによって記憶容量を拡張する技術を開示している。これによると、例えば３Ｄ＋１ＰのＲＡＩＤレベル５が適用されている場合、ＲＡＩＤグループに１台のディスクドライブを追加することによって、その構成が４Ｄ＋１Ｐに変更される。これによって１台ごとのディスクドライブの増設が可能になるため、必要最低限のコストによる記憶容量の拡張が実現される。
【特許文献１】特開平７−１４１１２１号公報
【手続補正２】
【補正対象書類名】明細書
【補正対象項目名】０１２３
【補正方法】変更
【補正の内容】
【０１２３】
ステップ１３０２において、データ幅拡張対象ＲＡＩＤグループ内に、プールに含まれる実ＬＵがないと判定された場合、データ幅拡張対象ＲＡＩＤグループ内のいずれの記憶領域も、ＴＰＬＵに割り当てられない。この場合、図３（Ａ）から図４（Ｃ）に示す処理を実行することができないため、従来と同様のデータ幅拡張処理が実行される（ステップ１３０８）。従来と同様のデータ幅拡張処理とは、例えば特開平７−１４１１２１号公報に記載されたものである。ステップ１３０８が実行されると、容量拡張処理が終了する。
【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
補助記憶装置と情報処理装置とを接続する補助記憶装置外付けコネクタにおいて、
前記補助記憶装置外付けコネクタと前記補助記憶装置とを電気的に接続する補助記憶装置接続手段と、
前記補助記憶装置の状態を示す状態情報を取得する状態情報取得手段と、
前記補助記憶装置から取得した前記状態情報を記憶する記憶手段と、
前記記憶手段に記憶されている前記状態情報を表示する表示手段と、
前記記憶手段に記憶されている前記状態情報に基づいて、前記補助記憶装置の故障を予測し、予測結果を示す予測情報を生成し、生成した前記予測情報を前記記憶手段に記憶させる故障予測処理を実行する予測処理手段と、
を有し、
前記表示手段は、前記記憶手段に記憶されている前記予測情報に基づいて、前記予測結果を表示し、
前記状態情報は、前記補助記憶装置の空き容量を示す情報を含む、
ことを特徴とする補助記憶装置外付けコネクタ。
【請求項２】
前記記憶手段に記憶されている前記状態情報に基づいて、前記補助記憶装置の管理処理を実行する管理処理手段と、
前記補助記憶装置外付けコネクタと前記情報処理装置とを電気的に接続する情報処理装置接続手段と、
を有し、
前記管理処理手段は、前記情報処理装置接続手段を介して、前記情報処理装置による設定を示す設定情報を取得し、取得した前記設定情報に基づいて前記補助記憶装置の前記管理処理を実行することを特徴とする請求項１記載の補助記憶装置外付けコネクタ。
【請求項３】
前記記憶手段に記憶されている前記状態情報に基づいて、前記補助記憶装置の管理処理を実行する管理処理手段を有し、
前記管理処理手段が実行する前記管理処理は、前記補助記憶装置が有する前記記憶領域の断片化を解消するデフラグ処理であることを特徴とする請求項１記載の補助記憶装置外付けコネクタ。
【手続補正２】
【補正対象書類名】明細書
【補正対象項目名】０００８
【補正方法】変更
【補正の内容】
【０００８】
この補助記憶装置と情報処理装置とを接続する補助記憶装置外付けコネクタは、前記補助記憶装置外付けコネクタと前記補助記憶装置とを電気的に接続する補助記憶装置接続手段と、前記補助記憶装置の状態を示す状態情報を取得する状態情報取得手段と、前記補助記憶装置から取得した前記状態情報を記憶する記憶手段と、前記記憶手段に記憶されている前記状態情報を表示する表示手段と、前記記憶手段に記憶されている前記状態情報に基づいて、前記補助記憶装置の故障を予測し、予測結果を示す予測情報を生成し、生成した前記予測情報を前記記憶手段に記憶させる故障予測処理を実行する予測処理手段と、を有し、前記表示手段は、前記記憶手段に記憶されている前記予測情報に基づいて、前記予測結果を表示し、前記状態情報は、前記補助記憶装置の空き容量を示す情報を含む。
【手続補正３】
【補正対象書類名】明細書
【補正対象項目名】０００９
【補正方法】変更
【補正の内容】
【０００９】
このような補助記憶装置外付けコネクタによれば、補助記憶装置接続手段により、補助記憶装置外付けコネクタと補助記憶装置とが電気的に接続される。状態情報取得手段により、補助記憶装置の状態を示す状態情報が取得される。記憶手段により、補助記憶装置から取得した状態情報が記憶される。表示手段により、記憶手段に記憶されている状態情報が表示される。予測処理手段により、記憶手段に記憶されている状態情報に基づいて、補助記憶装置の故障が予測され、予測結果を示す予測情報が生成され、生成された予測情報が記憶手段に記憶される。また、表示手段により、記憶手段に記憶されている予測情報に基づいて、予測結果が表示される。また、状態情報には、補助記憶装置の空き容量を示す情報が含まれる。
【手続補正書】
【提出日】平成22年9月9日(2010.9.9)
【手続補正１】
【補正対象書類名】特許請求の範囲
【補正対象項目名】全文
【補正方法】変更
【補正の内容】
【特許請求の範囲】
【請求項１】
外部装置から与えられるコマンドに対する処理を行う携帯可能電子装置において、
複数のチャネルで外部装置との通信を行う通信手段と、
ファイルの定義情報と前記定義情報で定義されるファイルとを記憶する記憶手段と、
前記ファイルへのアクセスに優先権を有するチャネルを示す情報を前記ファイルの定義情報に設定する設定手段と、
前記通信手段により受信した前記ファイルへのアクセスを要求するコマンドのチャネルが当該ファイルへのアクセスに優先権を有するチャネルである場合、前記コマンドで要求される前記ファイルへの処理を実行する第１の処理手段と、
前記通信手段により受信した前記ファイルへのアクセスを要求するコマンドのチャネルが当該ファイルへのアクセスに優先権がないチャネルである場合、所定のアクセス制限下で許容される処理内容のコマンドについてのみ前記ファイルへの処理を実行する第２の処理手段と、
を有することを特徴とする携帯可能電子装置。
【請求項２】
前記設定手段は、前記通信手段によりファイルを選択するコマンドを受信した場合、当該コマンドで選択されるファイルに対する優先権が未設定であれば、当該ファイルに対するアクセスの優先権を当該コマンドのチャネルに設定する、
ことを特徴とする前記請求項１に記載の携帯可能電子装置。
【請求項３】
さらに、アクセス対象とするファイルを選択するコマンドを受信した場合、当該コマンドのチャネルが当該ファイルへのアクセスに優先権がないチャネルであれば、当該チャネルでのファイルへのアクセスが制限される旨を通知する通知手段を有する、
ことを特徴とする前記請求項１又は２の何れかに記載の携帯可能電子装置。
【請求項４】
さらに、前記優先権が与えられているチャネルが閉塞された場合、当該ファイルへのアクセスの優先権を当該ファイルを選択している別のチャネルに変更する設定変更手段を有する、
ことを特徴とする前記請求項１乃至３の何れか１項に記載の携帯可能電子装置。
【請求項５】
さらに、前記優先権が未設定のファイルに対してアクセスを要求するコマンドを受信した場合、当該ファイルに対するアクセスの優先権を当該コマンドのチャネルに設定することが可能な状態である旨を報知する報知手段を有する、
ことを特徴とする前記請求項１乃至４の何れか１項に記載の携帯可能電子装置。
【請求項６】
さらに、前記優先権が与えられていないチャネルのコマンドに対する応答として、当該コマンドがアクセス対象とするファイルに対して前記優先権が与えられている別のチャネルで実行済みの処理内容を通知する応答を行う応答手段を有する、
ことを特徴とする前記請求項１乃至５の何れか１項に記載の携帯可能電子装置。
【請求項７】
複数のチャネルで外部装置との通信を行う通信手段と、ファイルの定義情報と前記定義情報で定義されるファイルとを記憶する記憶手段とを有する携帯可能電子装置の制御方法であって、
前記ファイルへのアクセスに優先権を有するチャネルを示す情報を前記ファイルの定義情報に設定し、
前記ファイルへのアクセスを要求するコマンドのチャネルが当該ファイルへのアクセスに優先権を有するチャネルである場合、当該コマンドで要求される前記ファイルへの処理を実行し、
前記ファイルへのアクセスを要求するコマンドのチャネルが当該ファイルへのアクセスに優先権がないチャネルである場合、所定のアクセス制限下で許容される処理内容のコマンドについてのみ前記ファイルへの処理を実行する、
ことを特徴とする携帯可能電子装置の制御方法。
【請求項８】
外部装置から与えられるコマンドに対する処理を行うＩＣカードにおいて、
複数のチャネルで外部装置との通信を行う通信手段と、ファイルの定義情報と前記定義情報で定義されるファイルとを記憶する記憶手段と、前記ファイルへのアクセスに優先権を有するチャネルを示す情報を前記ファイルの定義情報に設定する設定手段と、前記通信手段により受信した前記ファイルへのアクセスを要求するコマンドのチャネルが当該ファイルへのアクセスに優先権を有するチャネルである場合、前記コマンドで要求される前記ファイルへの処理を実行する第１の処理手段と、前記通信手段により受信した前記ファイルへのアクセスを要求するコマンドのチャネルが当該ファイルへのアクセスに優先権がないチャネルである場合、所定のアクセス制限下で許容される処理内容のコマンドについてのみ前記ファイルへの処理を実行する第２の処理手段とを具備するモジュールと、
前記モジュールを具備する本体と、
を有することを特徴とするＩＣカード。
【手続補正２】
【補正対象書類名】明細書
【補正対象項目名】発明の名称
【補正方法】変更
【補正の内容】
【発明の名称】携帯可能電子装置、ＩＣカード、および携帯可能電子装置の制御方法
【手続補正書】
【提出日】平成22年10月1日(2010.10.1)
【手続補正１】
【補正対象書類名】特許請求の範囲
【補正対象項目名】請求項１
【補正方法】変更
【補正の内容】
【請求項１】
複数種類の図柄を変動させて行う図柄変動ゲームを表示する表示手段と、図柄変動ゲームの始動条件を付与する始動入賞手段と、始動入賞手段への遊技球の入賞を契機に大当りに当選しているか否かを判定する大当り判定手段と、小当りに当選しているか否かを判定する小当り判定手段と、前記大当り判定又は前記小当り判定が肯定の場合に当りの種類を決定する当り種決定手段と、当り遊技中に開放する入賞手段とを備え、前記大当り判定又は前記小当り判定が肯定の場合には前記図柄変動ゲームの表示結果が表示された後に前記当り種決定手段の決定結果に基づいて前記入賞手段を開放する当り遊技が行われ、前記大当り判定が肯定で前記大当り判定を肯定とする当選確率を低確率から高確率に向上させる確率変動状態を付与する当りの種類が決定される場合には前記入賞手段を開放する当り遊技の終了後に前記確率変動状態が付与される一方で、前記小当り判定が肯定の場合には当該肯定判定時の遊技状態が前記入賞手段を開放する当り遊技の終了後も継続される遊技機において、
前記当りの種類からは、前記入賞手段の上限合計開放時間と前記当り遊技の終了後の遊技状態が特定され、
前記当り遊技は、前記当り種決定手段が前記大当りの当選のもとで第１当りを決定した場合に付与される第１の当り遊技と、前記当り種決定手段が前記大当りの当選のもとで第２当りを決定した場合に付与され、前記第１の当り遊技よりも前記入賞手段の上限合計開放時間を短く設定した第２の当り遊技と、前記当り種決定手段が前記小当りの当選のもとで第３当りを決定した場合に付与され、前記第２の当り遊技との差異を遊技者が判別不能な態様で前記入賞手段を開放する第３の当り遊技とからなり、
前記図柄変動ゲームでは、前記第２当りが決定される場合と前記第３当りが決定される場合とで演出用の図柄で構成される表示結果として同一の表示結果が表示されるようになっており、
前記第２当り及び前記第３当りの何れかに基づく当り遊技終了後、当該当り遊技終了後の遊技状態が確率変動状態であるか否かを秘匿する特別モードを設定し、当該特別モードに基づく秘匿演出を実行させる秘匿演出実行手段と、
前記第２当り及び前記第３当りの何れかの当選を契機として前記特別モードを設定するモード設定契機の到来により、前記第２当り及び前記第３当りの何れに当選したかを判定する設定契機判定手段と、
前記モード設定契機の到来時に、前記第２当り及び前記第３当りの何れかの当選時の遊技状態が確率変動状態であるか否かを判定する遊技状態判定手段とを備え、
前記特別モードは複数種類用意されているとともに、当該複数種類の特別モードは確率変動状態が付与されている可能性の大小によって順序付けされており、
前記秘匿演出実行手段は、前記特別モードが設定された遊技状態中に前記モード設定契機が到来した場合には前記モード設定契機の到来時に設定されている特別モードよりも前記確率変動状態が付与されている可能性が大きくなる特別モードを選択可能であって、前記設定契機判定手段により前記第２当りに当選した旨が判定されている場合には前記第３当りに当選したときよりも前記確率変動状態が付与されている可能性が大きくなる特別モードを選択し易くなっているとともに、前記遊技状態判定手段により前記確率変動状態である旨が判定されている場合には前記確率変動状態が付与されていないときよりも前記確率変動状態である可能性が大きくなる特別モードを選択し易くなっていることを特徴とする遊技機。
【手続補正２】
【補正対象書類名】明細書
【補正対象項目名】０００８
【補正方法】変更
【補正の内容】
【０００８】
上記目的を達成するために、請求項１に記載の発明は、複数種類の図柄を変動させて行う図柄変動ゲームを表示する表示手段と、図柄変動ゲームの始動条件を付与する始動入賞手段と、始動入賞手段への遊技球の入賞を契機に大当りに当選しているか否かを判定する大当り判定手段と、小当りに当選しているか否かを判定する小当り判定手段と、前記大当り判定又は前記小当り判定が肯定の場合に当りの種類を決定する当り種決定手段と、当り遊技中に開放する入賞手段とを備え、前記大当り判定又は前記小当り判定が肯定の場合には前記図柄変動ゲームの表示結果が表示された後に前記当り種決定手段の決定結果に基づいて前記入賞手段を開放する当り遊技が行われ、前記大当り判定が肯定で前記大当り判定を肯定とする当選確率を低確率から高確率に向上させる確率変動状態を付与する当りの種類が決定される場合には前記入賞手段を開放する当り遊技の終了後に前記確率変動状態が付与される一方で、前記小当り判定が肯定の場合には当該肯定判定時の遊技状態が前記入賞手段を開放する当り遊技の終了後も継続される遊技機において、前記当りの種類からは、前記入賞手段の上限合計開放時間と前記当り遊技の終了後の遊技状態が特定され、前記当り遊技は、前記当り種決定手段が前記大当りの当選のもとで第１当りを決定した場合に付与される第１の当り遊技と、前記当り種決定手段が前記大当りの当選のもとで第２当りを決定した場合に付与され、前記第１の当り遊技よりも前記入賞手段の上限合計開放時間を短く設定した第２の当り遊技と、前記当り種決定手段が前記小当りの当選のもとで第３当りを決定した場合に付与され、前記第２の当り遊技との差異を遊技者が判別不能な態様で前記入賞手段を開放する第３の当り遊技とからなり、前記図柄変動ゲームでは、前記第２当りが決定される場合と前記第３当りが決定される場合とで演出用の図柄で構成される表示結果として同一の表示結果が表示されるようになっており、前記第２当り及び前記第３当りの何れかに基づく当り遊技終了後、当該当り遊技終了後の遊技状態が確率変動状態であるか否かを秘匿する特別モードを設定し、当該特別モードに基づく秘匿演出を実行させる秘匿演出実行手段と、前記第２当り及び前記第３当りの何れかの当選を契機として前記特別モードを設定するモード設定契機の到来により、前記第２当り及び前記第３当りの何れに当選したかを判定する設定契機判定手段と、前記モード設定契機の到来時に、前記第２当り及び前記第３当りの何れかの当選時の遊技状態が確率変動状態であるか否かを判定する遊技状態判定手段とを備え、前記特別モードは複数種類用意されているとともに、当該複数種類の特別モードは確率変動状態が付与されている可能性の大小によって順序付けされており、前記秘匿演出実行手段は、前記特別モードが設定された遊技状態中に前記モード設定契機が到来した場合には前記モード設定契機の到来時に設定されている特別モードよりも前記確率変動状態が付与されている可能性が大きくなる特別モードを選択可能であって、前記設定契機判定手段により前記第２当りに当選した旨が判定されている場合には前記第３当りに当選したときよりも前記確率変動状態が付与されている可能性が大きくなる特別モードを選択し易くなっているとともに、前記遊技状態判定手段により前記確率変動状態である旨が判定されている場合には前記確率変動状態が付与されていないときよりも前記確率変動状態である可能性が大きくなる特別モードを選択し易くなっていることを要旨とする。
【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
複数種類の図柄を変動させて行う図柄変動ゲームを表示する表示手段と、前記図柄変動ゲームにて当りか否かを抽選で決定する当り抽選を行う抽選手段と、当り遊技中に開放する入賞手段とを備え、前記当り抽選に当選した場合に前記図柄変動ゲームの表示結果として当り表示結果が表示され、その後に前記入賞手段を開放する当り遊技が行われ、当該当り遊技の終了後に、前記当り抽選に当選する確率を通常確率である低確率で抽選する通常状態又は前記当り抽選に当選する確率を低確率から高確率に変動させる確変状態のいずれかの遊技状態が付与される遊技機において、
前記抽選手段の前記当り抽選の抽選結果に基づき前記当り遊技の終了後に前記確変状態を付与するか否かを決定し、当該決定に基づき前記当り遊技終了後に前記遊技状態を付与する状態制御手段と、
前記遊技状態が前記通常状態であることを示唆する、又は前記遊技状態が前記確変状態であることを示唆する示唆演出を実行する演出実行手段と、
前記示唆演出として前記通常状態であることを示唆する演出内容で前記演出実行手段を制御する通常演出モードと、前記示唆演出として前記確変状態であることを示唆する前記通常演出モードとは異なる演出内容で前記演出実行手段を制御する特別演出モードとを実行する演出制御手段とを備え、
前記演出制御手段は、
前記抽選手段が当り抽選で当りを決定する場合には当該当りに伴う前記当り遊技終了後に前記特別演出モードを開始させ、
前記特別演出モード中において前記特別演出モードを終了させるか否かの終了条件が成立する場合には前記特別演出モードから前記通常演出モードに移行させ、
前記終了条件が成立してから所定回数の図柄変動ゲームが経過するまでにおいて前記特別演出モードを再開させるか否かの再開条件が成立する場合には前記通常演出モードから前記特別演出モードに移行させ、再び前記特別演出モードを開始させるとともに、前記再開条件の成立に関しては前記確変状態の場合に前記通常状態である場合よりも前記再開条件を成立させ易いことを特徴とする遊技機。
【手続補正２】
【補正対象書類名】明細書
【補正対象項目名】０００６
【補正方法】変更
【補正の内容】
【０００６】
上記目的を達成するために請求項１に記載の発明は、複数種類の図柄を変動させて行う図柄変動ゲームを表示する表示手段と、前記図柄変動ゲームにて当りか否かを抽選で決定する当り抽選を行う抽選手段と、当り遊技中に開放する入賞手段とを備え、前記当り抽選に当選した場合に前記図柄変動ゲームの表示結果として当り表示結果が表示され、その後に前記入賞手段を開放する当り遊技が行われ、当該当り遊技の終了後に、前記当り抽選に当選する確率を通常確率である低確率で抽選する通常状態又は前記当り抽選に当選する確率を低確率から高確率に変動させる確変状態のいずれかの遊技状態が付与される遊技機において、前記抽選手段の前記当り抽選の抽選結果に基づき前記当り遊技の終了後に前記確変状態を付与するか否かを決定し、当該決定に基づき前記当り遊技終了後に前記遊技状態を付与する状態制御手段と、前記遊技状態が前記通常状態であることを示唆する、又は前記遊技状態が前記確変状態であることを示唆する示唆演出を実行する演出実行手段と、前記示唆演出として前記通常状態であることを示唆する演出内容で前記演出実行手段を制御する通常演出モードと、前記示唆演出として前記確変状態であることを示唆する前記通常演出モードとは異なる演出内容で前記演出実行手段を制御する特別演出モードとを実行する演出制御手段とを備え、前記演出制御手段は、前記抽選手段が当り抽選で当りを決定する場合には当該当りに伴う前記当り遊技終了後に前記特別演出モードを開始させ、前記特別演出モード中において前記特別演出モードを終了させるか否かの終了条件が成立する場合には前記特別演出モードから前記通常演出モードに移行させ、前記終了条件が成立してから所定回数の図柄変動ゲームが経過するまでにおいて前記特別演出モードを再開させるか否かの再開条件が成立する場合には前記通常演出モードから前記特別演出モードに移行させ、再び前記特別演出モードを開始させるとともに、前記再開条件の成立に関しては前記確変状態の場合に前記通常状態である場合よりも前記再開条件を成立させ易いことを要旨とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正書】
【提出日】平成22年10月21日(2010.10.21)
【手続補正１】
【補正対象書類名】明細書
【補正対象項目名】００１８
【補正方法】変更
【補正の内容】
【００１８】
請求項８に係る発明は、所定のノズルから吐出した処理液を基板に塗布するための方法であって、ステージ面に設けた気体孔を通る気体流により前記ステージ面上に圧力気体層を形成し、前記圧力気体層によって基板を浮上させる工程と、前記ステージ面のうち、基板存在領域を外れており、かつノズルの直下となっている特定領域について前記気体流を一時的に停止する工程と、所定の待機高さから前記特定領域に向けてノズルを降下させる工程と、前記ノズルと前記基板とを相対的に移動させて前記ノズルを前記基板の塗布開始位置の上に到達させ、前記ノズルからの前記処理液の吐出を開始する工程と、前記処理液の吐出を開始するまでに、前記特定領域についての前記気体流の形成を再開する工程と、を備えることを特徴とする。
【手続補正２】
【補正対象書類名】明細書
【補正対象項目名】００１９
【補正方法】変更
【補正の内容】
【００１９】
請求項１から請求項８に記載の発明によれば、ノズルからの処理液の吐出を止めた状態で、ノズルを、浮上ステージ上の基板存在領域から外れた位置から、基板存在領域の上方に相対的に移動させる空走期間のうち少なくとも一部の期間において、基板存在領域を外れた領域のうち少なくともノズルの直下の領域を含む範囲での気体流の形成を一時的に停止させる。そのため、気体圧力層形成のための気体流の影響で、ノズルの先端の処理液が乾燥し、塗布処理を行う際に、基板に塗布ムラが発生する可能性を抑えることができる。
【手続補正３】
【補正対象書類名】明細書
【補正対象項目名】００２０
【補正方法】変更
【補正の内容】
【００２０】
また、特に請求項２に記載の発明によれば、最も気体流の影響を受けやすい水平移動期間での気体流の形成を停止するため、処理液の乾燥防止効果が特に高い。
【手続補正４】
【補正対象書類名】特許請求の範囲
【補正対象項目名】全文
【補正方法】変更
【補正の内容】
【特許請求の範囲】
【請求項１】
基板に処理液を塗布するための基板塗布装置であって、
ステージ面に設けた気体孔を通る気体流により前記ステージ面上に圧力気体層を形成し、前記圧力気体層によって基板を浮上させる浮上ステージと、
前記基板に対して相対的に移動させるノズルから所定の処理液を前記基板上に吐出することにより、前記基板上に前記処理液を塗布する処理液供給手段と、
前記気体流の形成状態と停止状態とを切り替える気体流制御手段と、
を備え、
前記相対的な移動と並行して行う前記処理液の吐出の前に、前記ノズルからの前記処理液の吐出を止めた状態で、前記ノズルを、前記浮上ステージ上の基板存在領域から外れた位置から、前記基板存在領域まで相対的に移動させる空走期間が設定されており、
前記気体流制御手段は、前記空走期間のうち少なくとも一部の期間においては、前記ノズルの直下領域での前記気体流の形成を一時的に停止することを特徴とする基板塗布装置。
【請求項２】
請求項１に記載された基板塗布装置であって、
前記ノズルを、前記浮上ステージの上方空間で昇降させる昇降手段、
をさらに備え、
前記空走期間は、前記ノズルが、所定の待機高さから下降する下降期間と、前記ノズルが下降状態になってから水平方向に前記ノズルを前記基板に対して相対的に接近させる水平移動期間とを有しており、
前記基板上への前記処理液の塗布は、前記下降状態において行われるものであり、
前記空走期間のうち少なくとも前記水平移動期間においては、前記気体流の形成を停止させておくことを特徴とする基板塗布装置。
【請求項３】
請求項１または２に記載された基板塗布装置であって、
前記浮上ステージにおいては、それぞれに気体孔が形成された複数の気体流形成領域が、別プレートまたは１つのプレートの別部分として隣接配置されており、
前記複数の気体流形成領域のそれぞれに対応して気体流路の開閉機構が設けられており、
前記気体流制御手段は、
前記開閉機構を用いた前記気体流の形成の一時的な停止を、前記複数の気体流形成領域のうち、前記ノズルの直下に存在するとともにその上には前記基板が存在しない領域についてのみ行うことを特徴とする基板塗布装置。
【請求項４】
請求項１ないし３のいずれかに記載された基板塗布装置であって、
前記気体流の一時的な停止の後、前記基板の塗布開始位置から前記ノズルが前記処理液の吐出を開始するまでに、前記浮上ステージのすべての気体孔を用いた気体流の形成を再開することを特徴とする基板塗布装置。
【請求項５】
請求項１ないし４のいずれかに記載された基板塗布装置であって、
前記基板の浮上高さを測定する浮上高さ測定手段、
をさらに備えるとともに、
前記処理液供給手段は、
前記ノズルのうち、前記相対的な移動において前方に相当する側に取付けられて前記ノズルの先端を保護する保護部材をさらに備え、
前記浮上高さ測定手段が前記基板端部の塗布開始位置の浮上高さを検出しつつ前記ノズルを下降させてから、前記ノズルと前記基板とを相対的に移動させることにより、前記保護部材が前記ノズルよりも先に基板端部に進入することを特徴とする基板塗布装置。
【請求項６】
請求項１ないし５のいずれかに記載された基板塗布装置であって、
前記気体流の形成の一時的な停止による前記基板の温度変動の許容値があらかじめ決定されており、
前記気体流の形成の前記一時的な停止状態の継続時間は、前記温度変動が前記許容値以下となる時間として決定されていることを特徴とする基板塗布装置。
【請求項７】
請求項１ないし６のいずれかに記載された基板塗布装置であって、
前記浮上ステージには、前記気体を噴出する複数の噴出孔と、前記気体を吸引する複数の吸引孔とが混在して形成されており、
前記気体流は、前記複数の噴出孔から噴出した圧力気体が前記複数の吸引孔から吸引される過程において発生しており、
前記気体流制御手段は、前記複数の噴出孔への気体供給経路の開閉と、前記複数の吸引孔からの気体吸引経路の開閉とによって、前記気体流の形成状態と停止状態とを切り替えることを特徴とする基板塗布装置。
【請求項８】
所定のノズルから吐出した処理液を基板に塗布するための方法であって、
ステージ面に設けた気体孔を通る気体流により前記ステージ面上に圧力気体層を形成し、前記圧力気体層によって基板を浮上させる工程と、
前記ステージ面のうち、基板存在領域を外れており、かつノズルの直下となっている特定領域について前記気体流を一時的に停止する工程と、
所定の待機高さから前記特定領域に向けてノズルを降下させる工程と、
前記ノズルと前記基板とを相対的に移動させて前記ノズルを前記基板の塗布開始位置の上に到達させ、前記ノズルからの前記処理液の吐出を開始する工程と、
前記処理液の吐出を開始するまでに、前記特定領域についての前記気体流の形成を再開する工程と、
を備えることを特徴とする基板塗布方法。
【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
以下の：
（ａ）配列番号１３を含む単離ポリヌクレオチド；
（ｂ）配列番号５を含む単離ポリヌクレオチド；並びに
（ｃ）ＣＲＬ１００５及び塩化ベンザルコニウム（ＢＡＫ）を含む、アジュバント及びトランスフェクション促進剤であって該ＣＲＬ１００５及びＢＡＫが、以下の：
０．３ｍＭ  ＢＡＫ及び７．５ｍｇ／ｍｌＣＲＬ１００５、
０．３ｍＭ  ＢＡＫ及び３４ｍｇ／ｍｌＣＲＬ１００５、及び
０．３ｍＭ  ＢＡＫ及び５０ｍｇ／ｍｌＣＲＬ１００５、
から成る群から選ばれる濃度で存在する、
を含む組成物であって、前記（ａ）のポリヌクレオチドは作用可能な状態でプロモーターに連結されたＤＮＡであり、かつ、前記（ｂ）のポリヌクレオチドも作用可能な状態でプロモーターに連結されたＤＮＡである前記組成物。
【請求項２】
前記（ａ）のポリヌクレオチドと前記（ｂ）のポリヌクレオチドは、単一のプラスミド上に存在する、請求項１に記載の組成物。
【請求項３】
前記（ａ）のポリヌクレオチドと前記（ｂ）のポリヌクレオチドは、別々のプラスミド上に存在する、請求項１に記載の組成物。
【請求項４】
ＨＣＭＶポリペプチド又はその免疫学的断片、変異体若しくは誘導体をコードする追加のポリヌクレオチド、あるいは失活ウイルス、減弱ウイルス、単離ＨＣＭＶポリペプチドを発現するウイルスベクター、ＨＣＭＶウイルス蛋白質又はその免疫学的断片若しくは誘導体からの単離ポリぺプチドから成る群から選ばれる慣用型のワクチン成分をさらに含む、請求項１に記載の組成物。
【請求項５】
前記追加のポリヌクレオチドが、前記ＨＣＭＶポリペプチド又はその免疫学的断片、変異体若しくは誘導体をコードするコドン最適化型コード領域を含む、請求項４に記載の組成物。
【請求項６】
前記ＨＣＭＶポリペプチドが、前初期−１蛋白質（ＩＥ−１）である、請求項５に記載の組成物。
【請求項７】
ヒトにおけるＣＭＶ感染の治療又は予防方法に使用するための、請求項１又は４に記載の組成物。
【請求項８】
ヒトにおけるＣＭＶ感染の治療又は予防用医薬の製造における、請求項１又は５に記載の組成物の使用。
【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
シートを搬送するシート搬送装置において、
搬送されるシートが通過するシート搬送通路と、
前記シート搬送通路を通過するシートと当接して移動するように設けられた移動部材と、
開放することによって前記移動部材のシート搬送方向上流側の前記シート搬送通路を露出するカバー部材と、
前記カバー部材の開放に伴って前記移動部材を、前記シート搬送通路を通過するシートと当接しない装置内の退避位置に移動させる移動手段と、を備えたことを特徴とするシート搬送装置。
【請求項２】
前記移動手段は、前記シート搬送通路を構成し、かつ前記移動部材を移動可能に保持して前記シート搬送通路を開放する方向に移動可能な上側ガイド部材であり、
前記上側ガイド部材を、前記カバー部材の開放に伴って前記シート搬送通路を開放する方向に移動させ、かつ前記上側ガイド部材の移動に伴って前記移動部材を前記退避位置に移動させることを特徴とする請求項１記載のシート搬送装置。
【請求項３】
前記上側ガイド部材の移動に伴って前記移動部材に当接し、前記移動部材を前記退避位置に移動させる当接部を備えたことを特徴とする請求項２記載のシート搬送装置。
【請求項４】
前記シート搬送通路に設けられ、シートを搬送するシート搬送ローラ対と、
前記上側ガイド部材と共に前記シート搬送通路を構成し、前記シート搬送ローラ対の一方を保持した下側ガイド部材と、を備え、
前記下側ガイド部材は、前記カバー部材の開放に応じて前記シート搬送ローラ対の一方が他方から離間するよう移動可能であることを特徴とする請求項２又は３記載のシート搬送装置。
【請求項５】
前記カバー部材の開放に伴って前記下側ガイド部材を移動させるリンク部材を設けたことを特徴とする請求項４記載のシート搬送装置。
【請求項６】
前記カバー部材の開放を検知する開放検知手段を備え、
前記移動手段は、前記開放検知手段からの開放検知信号に従って前記移動部材を前記退避位置に移動させることを特徴とする請求項１記載のシート搬送装置。
【請求項７】
前記カバー部材は、前記上側ガイド部材と共に前記シート搬送通路を構成することを特徴とする請求項１乃至６のいずれか１項に記載のシート搬送装置。
【請求項８】
シートを搬送するシート搬送装置において、
搬送されるシートが通過するシート搬送通路と、
前記シート搬送通路を通過するシートと当接して移動するように設けられた移動部材と、
前記シート搬送通路を通過するシートのジャムを検知するジャム検知手段と、
前記ジャム検知手段からのジャム検知信号に従って前記移動部材を前記シート搬送通路を通過するシートと当接しない退避位置に移動させる移動手段と、を備えたことを特徴とするシート搬送装置。
【請求項９】
前記移動部材は、シート積載部に積載されたシートを押さえる押さえ部材であることを特徴とする請求項１乃至８のいずれか１項に記載のシート搬送装置。
【請求項１０】
前記移動部材は、前記シート搬送通路内のシートの通過を検知するシート検知フラグであることを特徴とする請求項１乃至８のいずれか１項に記載のシート搬送装置。
【請求項１１】
画像を形成する画像形成部と、前記画像形成部により画像が形成されたシートを搬送する請求項１乃至１０のいずれか１項に記載のシート搬送装置とを備えたことを特徴とする画像形成装置。
【請求項１２】
シートを前記シート積載部に搬送する請求項１乃至１０のいずれか１項に記載のシート搬送装置と、前記シート積載部に積載されたシートに処理を施すシート処理手段とを備えたことを特徴とするシート処理装置。
【請求項１３】
画像を形成する画像形成部と、前記画像形成部により画像が形成されたシートに処理を施す請求項１２に記載のシート処理装置とを備えたことを特徴とする画像形成装置。
【請求項１４】
画像を形成する画像形成部と、前記画像形成部の上方に前記画像形成部の上方に間隔をおいて配置された画像読取装置と、前記画像形成部と前記画像読取装置との間に形成された空間に配置され、前記画像形成部により画像が形成されたシートに処理を施す請求項１２に記載のシート処理装置とを備えたことを特徴とする画像形成装置。
【手続補正２】
【補正対象書類名】明細書
【補正対象項目名】００１９
【補正方法】変更
【補正の内容】
【００１９】
本発明は、シートを搬送するシート搬送装置において、搬送されるシートが通過するシート搬送通路と、前記シート搬送通路を通過するシートと当接して移動するように設けられた移動部材と、開放することによって前記移動部材のシート搬送方向上流側の前記シート搬送通路を露出するカバー部材と、前記カバー部材の開放に伴って前記移動部材を、前記シート搬送通路を通過するシートと当接しない装置内の退避位置に移動させる移動手段と、を備えたことを特徴とするものである。
【手続補正３】
【補正対象書類名】明細書
【補正対象項目名】００２０
【補正方法】変更
【補正の内容】
【００２０】
また本発明は、シートを搬送するシート搬送装置において、搬送されるシートが通過するシート搬送通路と、前記シート搬送通路を通過するシートと当接して移動するように設けられた移動部材と、前記シート搬送通路を通過するシートのジャムを検知するジャム検知手段と、前記ジャム検知手段からのジャム検知信号に従って前記移動部材を前記シート搬送通路を通過するシートと当接しない退避位置に移動させる移動手段と、を備えたことを特徴とするものである。
【手続補正４】
【補正対象書類名】明細書
【補正対象項目名】００６４
【補正方法】変更
【補正の内容】
【００６４】
また、この下側搬送ガイド５１には、中間搬送ローラ３２と共にシート搬送ローラ対を構成する一方の回転体である従動コロ３２ｂが回転自在に保持されている。そして、この下側搬送ガイド５１は、ジャム処理扉５３の開放に応じてシート搬送ローラ対の従動コロ３２ｂがシート搬送ローラ対の他方を構成する中間搬送ローラ３２から離間するようになっている。
【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
シートを整合した後、処理するシート処理装置であって、
シートを搬送する搬送手段と、
搬送されたシートを積載する積載手段と、
前記積載手段に積載されたシートの端部を当接させてシートを整合する基準部材と、
前記基準部材に向かって移動し、シート搬送方向と直交する幅方向に第１の長さを有する第１サイズシートと、シート搬送方向と直交する幅方向に前記第１の長さより小さな第２の長さを有する第２サイズシートのいずれかを整合する整合手段と、を有し、
前記第１サイズシートを整合する際、前記整合手段を、前記第１サイズシートの前記積載手段への搬送を妨げない待機位置から前記第２サイズシートを整合させるのに必要な整合距離を前記基準部材に向かって移動することを特徴とするシート処理装置。
【請求項２】
前記整合手段は、複数枚のシートが前記積載手段に搬送される間に少なくとも１回、前記整合距離を移動することを特徴とする請求項１に記載のシート処理装置。
【請求項３】
前記整合手段は、複数枚のシートのうち、最初の１枚、または最後の１枚の搬送時に前記整合距離を移動することを特徴とする請求項１又は２に記載のシート処理装置。
【請求項４】
前記整合手段は、複数枚のシートの搬送毎に前記整合距離を移動することを特徴とする請求項１乃至３のいずれか１項に記載のシート処理装置。
【請求項５】
前記整合手段は、前記整合手段の移動方向のシート端部に弾性的に当接する当接部を備えることを特徴とする請求項１乃至４のいずれか１項に記載のシート処理装置。
【請求項６】
前記整合手段は、搬送されるシートが前記第１サイズシートか前記第２サイズシートかによって、前記待機位置を変更することを特徴とする請求項１乃至５のいずれか１項に記載のシート処理装置。
【請求項７】
前記積載手段に積載されたシートに２本の針脚を有する針を打ち込んでステイプル処理を行うステイプラを有し、
前記第１サイズシートを整合する際、前記整合手段を、前記第１サイズシートの前記積載手段への搬送を妨げない待機位置から前記第２サイズシートを整合させるのに必要な整合距離を前記基準部材に向かって移動することによって、前記ステイプラが前記２本の針脚のうち少なくとも一方をシートに打ち込み可能とすることを特徴とする請求項１乃至６のいずれか１項に記載のシート処理装置。
【請求項８】
シートに画像を形成する画像形成手段と、
前記画像形成手段により画像形成されたシートを処理する請求項１乃至７のいずれか１項に記載のシート処理装置と、
を有することを特徴とする画像形成装置。
【手続補正２】
【補正対象書類名】明細書
【補正対象項目名】００１６
【補正方法】変更
【補正の内容】
【００１６】
上記課題を解決するために本発明に係るシート処理装置及び画像形成装置の代表的な構成は、シートを整合した後、処理するシート処理装置であって、シートを搬送する搬送手段と、搬送されたシートを積載する積載手段と、前記積載手段に積載されたシートの端部を当接させてシートを整合する基準部材と、前記基準部材に向かって移動し、シート搬送方向と直交する幅方向に第１の長さを有する第１サイズシートと、シート搬送方向と直交する幅方向に前記第１の長さより小さな第２の長さを有する第２サイズシートのいずれかを整合する整合手段と、を有し、前記第１サイズシートを整合する際、前記整合手段を、前記第１サイズシートの前記積載手段への搬送を妨げない待機位置から前記第２サイズシートを整合させるのに必要な整合距離を前記基準部材に向かって移動することを特徴とする。
【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
電気エネルギーが印加されることで、液体を吐出口から吐出するために用いることができる熱エネルギーを発生する電気熱変換体と、
前記電気エネルギーに応じて上昇する前記電気熱変換体の温度を測定するための温度検知素子を有し、該温度検知素子で測定した前記電気熱発熱体の最高温度を、基準温度と比較するための温度検出回路と、を有することを特徴とする液体吐出ヘッド。
【請求項２】
前記基準温度は、前記吐出口から液体が吐出されるときに到達する第１の温度と、前記吐出口から液体が吐出されないときに到達する前記第１の温度より高い第２の温度と、の間の温度となるように設けられていることを特徴とする請求項１に記載の液体吐出ヘッド。
【請求項３】
前記温度検知素子は、温度によって抵抗値が変化する材料からなり、
前記温度検出回路は、前記温度検知素子に一定の電流を供給する定電流回路と、前記温度検知素子にかかる電圧を検出するための電圧検出回路と、を有していることを特徴とする請求項１又は請求項２に記載の液体吐出ヘッド。
【請求項４】
前記温度検出回路は、前記温度検知素子にかかる最大の電圧を、前記基準温度に対応する基準電圧値と比較することで、前記最高温度と前記基準温度とを比較することを特徴とする請求項３に記載の液体吐出ヘッド。
【請求項５】
前記基準電圧の値は、前記吐出口から液体が吐出されるときに前記温度検知素子にかかる最大の電圧である第１の電圧と、前記吐出口から液体が吐出されないときに前記温度検知素子にかかる最大の電圧であり、前記第1の電圧より大きい第２の電圧と、の間の値であることを特徴とする請求項４に記載の液体吐出ヘッド。
【請求項６】
前記温度検出回路は、前記温度検知素子に流れる電流の供給を制御するためのスイッチ素子を有していることを特徴とする請求項３乃至請求項５のいずれかに記載の液体吐出ヘッド。
【請求項７】
前記温度検出回路は、前記温度検知素子に流れる電流の供給を制御するための第１のスイッチ素子を有しており、
前記電気熱変換体には、前記電気エネルギーの供給を制御するための第２のスイッチ素子が接続されており、
前記第１のスイッチ素子と、前記第２のスイッチ素子とは、共通の信号を用いて制御されていることを特徴とする請求項３乃至請求項５のいずれかに記載の液体吐出ヘッド。
【請求項８】
前記温度検知素子と前記電気熱変換体とは、基板の面上に設けられており、
前記温度検知素子と前記電気熱変換体とは、前記面に垂直な方向に関して、絶縁膜を介して積層されていることを特徴とする請求項１乃至請求項７のいずれかに記載の液体吐出ヘッド。
【請求項９】
電気エネルギーが印加されることで、液体を吐出口から吐出するために用いることができる熱エネルギーを発生する電気熱変換体と、前記電気エネルギーに応じて上昇する前記電気熱変換体の温度を測定するための温度検知素子を有し、該温度検知素子で測定した前記電気熱発熱体の最高温度を検出する温度検出回路と、を有する液体吐出ヘッドと、
前記電気熱変換体の駆動を制御する制御部と、
を有する液体吐出装置であって、
前記制御部は、前記最高温度が基準温度を超えた時に判定信号を出力することを特徴とする液体吐出装置。
【請求項１０】
前記判定信号により、前記電気熱変換体への電気エネルギーの供給を停止することを特徴とする請求項９に記載の液体吐出装置。
【請求項１１】
前記基準温度は、前記吐出口から液体が吐出されるときに到達する第１の温度と、前記吐出口から液体が吐出されないときに到達する前記第１の温度より高い第２の温度と、の間の温度となるように設けられていることを特徴とする請求項９又は請求項１０に記載の液体吐出装置。
【手続補正２】
【補正対象書類名】明細書
【補正対象項目名】００１３
【補正方法】変更
【補正の内容】
【００１３】
上記目的を達成するため、本発明の液体吐出ヘッドは、
電気エネルギーが印加されることで、液体を吐出口から吐出するために用いることができる熱エネルギーを発生する電気熱変換体と、
前記電気エネルギーに応じて上昇する前記電気熱変換体の温度を測定するための温度検知素子を有し、該温度検知素子で測定した前記電気熱発熱体の最高温度を、基準温度と比較するための温度検出回路と、を有する。
【手続補正３】
【補正対象書類名】明細書
【補正対象項目名】００１４
【補正方法】変更
【補正の内容】
【００１４】
本発明によれば、高速応答性を有する温度検出回路を構成でき、正常吐出と不吐出の状態を正確に判別することのできる回路を実現することができる。これにより、小型で信頼性の高い液体吐出ヘッドを提供することができる。